(57)【要約】      （修正有）【課題】稼働コストを抑えて建物内全体を小さい温度差で空調することができ、空調効率が良好な２階建て建築物の空調システムを提供する。【解決手段】空調システムは、１階床下空間１１と１階空間１２と２階空間１３と２階小屋裏空間１４とを備えた２階建て建築物１０に設置される。１階床下空間と１階空間とを連通させる第１吸気口１６および第１送風口１７と、２階空間と２階小屋裏空間とを連通させる第２吸気口１９および第２送風口２０とを有する。第１エアコン１が１階床下空間に設置されて第１吸気口を通して１階空間から吸気し、１階床下空間を経由して１階空間に空調空気を送風する。第２エアコン２が２階小屋裏空間に設置されて第２吸気口を通して２階空間から吸気し、２階小屋裏空間を経由して２階空間に空調空気を送風する。【選択図】図１
0003226606.tif 000002
【実用新案登録請求の範囲】
【請求項１】
１階床下空間と１階空間と２階空間と２階小屋裏空間とを備えた２階建て建築物に設置される空調システムであって、
前記１階床下空間と前記１階空間とを連通させる第１吸気口および第１送風口と、前記２階空間と前記２階小屋裏空間とを連通させる第２吸気口および第２送風口とを有し、
前記１階床下空間に設置されて前記第１吸気口を通して前記１階空間から吸気し、前記第１送風口を通して前記１階空間に空調空気を送るよう前記１階床下空間に空調空気を送風する第１エアコンと、
前記２階小屋裏空間に設置されて前記第２吸気口を通して前記２階空間から吸気し、前記第２送風口を通して前記２階空間に空調空気を送るよう前記２階小屋裏空間に空調空気を送風する第２エアコンとを、
有することを特徴とする２階建て建築物の空調システム。
【請求項２】
建物内空気を外気と熱交換して排気口から建物外に排出し、熱交換した外気を換気口から建物内に送る換気装置を有することを、特徴とする請求項１記載の２階建て建築物の空調システム。
【請求項３】
前記１階空間と前記２階空間とを連通させる通気口を有し、前記換気装置により熱交換した外気を、前記第１吸気口を通して前記１階床下空間に送り、前記通気口および前記第２吸気口を通して前記２階小屋裏空間に送る構成を有することを、特徴とする請求項２記載の２階建て建築物の空調システム。
【請求項４】
前記換気口と前記１階床下空間とを接続する第１ダクトと、前記通気口を通して前記換気口と前記２階小屋裏空間とを接続する第２ダクトとを有することを、特徴とする請求項３記載の２階建て建築物の空調システム。
【請求項５】
太陽光発電装置を有し、前記太陽光発電装置は前記第１エアコンおよび前記第２エアコンに給電するよう接続されていることを、特徴とする請求項１乃至４のいずれか１項に記載の２階建て建築物の空調システム。
【請求項６】
電源装置と、蓄電池を備えた電気自動車とを有し、前記電源装置は前記蓄電池および前記太陽光発電装置に接続されて、前記太陽光発電装置が発電する電力の余剰電力を前記蓄電池に充電し、夜間および停電時には前記蓄電池の電力を前記第１エアコンおよび前記第２エアコンに給電する構成を有することを、特徴とする請求項５記載の２階建て建築物の空調システム。
【考案の詳細な説明】
【技術分野】
【０００１】
本考案は、２階建て建築物の空調システムに関する。
【背景技術】
【０００２】
家屋の高断熱化、高気密化が進むにつれ、家屋全体を空調することが求められている。家屋全体を空調する技術として、屋根裏の空調機室内に収納された空調機および送風機によって、空調機室から空調機用のダクトを通じて、空調済み空気を床下に送り、床下から各部屋に空調済み空気を送り込む空調システムが開示されている（例えば、特許文献１、特許文献２参照）。
【先行技術文献】
【特許文献】
【０００３】
【特許文献１】特開２０１４−２０２４６０号公報
【特許文献２】特開２０１８−１２８２１９号公報
【考案の概要】
【考案が解決しようとする課題】
【０００４】
しかしながら、特許文献１、２に記載の空調システムでは、空調機から各部屋への距離が長いため、家屋内の温度差が大きくなるという問題があった。温度差を小さくするには、送風機を設けて稼働させる必要があり、送風機の稼働コストがかさむことから空調効率が悪いという課題があった。
【０００５】
本考案は、このような課題に着目してなされたもので、稼働コストを抑えて建物内全体を小さい温度差で空調することができ、空調効率が良好な２階建て建築物の空調システムを提供することを目的とする。
【課題を解決するための手段】
【０００６】
上記目的を達成するために、本考案に係る２階建て建築物の空調システムは、１階床下空間と１階空間と２階空間と２階小屋裏空間とを備えた２階建て建築物に設置される空調システムであって、前記１階床下空間と前記１階空間とを連通させる第１吸気口および第１送風口と、前記２階空間と前記２階小屋裏空間とを連通させる第２吸気口および第２送風口とを有し、前記１階床下空間に設置されて前記第１吸気口を通して前記１階空間から吸気し、前記第１送風口を通して前記１階空間に空調空気を送るよう前記１階床下空間に空調空気を送風する第１エアコンと、前記２階小屋裏空間に設置されて前記第２吸気口を通して前記２階空間から吸気し、前記第２送風口を通して前記２階空間に空調空気を送るよう前記２階小屋裏空間に空調空気を送風する第２エアコンとを、有することを特徴とする。
【０００７】
本考案に係る２階建て建築物の空調システムでは、１階床下空間に設置された第１エアコンから第１送風口を通して１階空間に空調空気を送り、２階小屋裏空間に設置された第２エアコンから第２送風口を通して２階空間に空調空気を送ることができるので、小屋裏空間に設置したエアコンのみから各部屋を空調する場合に比べて、エアコンから各部屋への距離を短くし、稼働コストを抑えて建物内全体を小さい温度差で空調することができる。このため、温度差を小さくするために送風機を設ける必要がなく、空調効率が良好である。また、地面に近い１階空間と、一般に日当たりのよい２階空間とでは温度差を生じやすいが、第１エアコンから１階空間に空調空気を送り、第２エアコンから２階空間に空調空気を送るので、第１エアコンの設定温度と第２エアコンの設定温度を変えることがき、１階空間と２階空間との室温調整が容易である。
【０００８】
本考案に係る２階建て建築物の空調システムは、建物内空気を外気と熱交換して排気口から建物外に排出し、熱交換した外気を換気口から建物内に送る換気装置を有することが好ましい。
この場合、空調された建物内空気の温度を熱交換により無駄にせずに排気し、新鮮な外気を建物内に取り入れることができる。
【０００９】
本考案に係る２階建て建築物の空調システムは、前記１階空間と前記２階空間とを連通させる通気口を有し、前記換気装置により熱交換した外気を、前記第１吸気口を通して前記１階床下空間に送り、前記通気口および前記第２吸気口を通して前記２階小屋裏空間に送る構成を有することが好ましい。
この場合、熱交換した外気を１階床下空間および２階小屋裏空間に送るので、取り入れた外気による１階空間および２階空間の室温への影響を抑えることができる。
【００１０】
本考案に係る２階建て建築物の空調システムは、前記換気口と前記１階床下空間とを接続する第１ダクトと、前記通気口を通して前記換気口と前記２階小屋裏空間とを接続する第２ダクトとを有することを、特徴とする。
この場合、熱交換した外気を、直接、１階空間および２階空間に送らずに、第１ダクトおよび第２ダクトを介して１階床下空間および２階小屋裏空間に送ることができるので、取り入れた外気による１階空間および２階空間の室温への影響を抑えることができる。
【００１１】
本考案に係る２階建て建築物の空調システムは、太陽光発電装置を有し、前記太陽光発電装置は前記第１エアコンおよび前記第２エアコンに給電するよう接続されていることが好ましい。
この場合、太陽光発電装置により空調の電気代を節約することができる。
【００１２】
本考案に係る２階建て建築物の空調システムは、電源装置と、蓄電池を備えた電気自動車とを有し、前記電源装置は前記蓄電池および前記太陽光発電装置に接続されて、前記太陽光発電装置が発電する電力の余剰電力を前記蓄電池に充電し、夜間および停電時には前記蓄電池の電力を前記第１エアコンおよび前記第２エアコンに給電する構成を有することが好ましい。
この場合、余剰電力を電気自動車の蓄電池に充電しておくことにより、夜間および停電時の空調の電気代を節約することができる。
なお、余剰電力は、電力会社に売電してもよい。
【考案の効果】
【００１３】
本考案の空調システムによれば、稼働コストを抑えて建物内全体を小さい温度差で空調することができ、空調効率が良好な２階建て建築物の空調システムを提供することができる。
【図面の簡単な説明】
【００１４】
【図１】本考案の第１の実施の形態の２階建て建築物の空調システムを示す模式図である。
【図２】図１に示す２階建て建築物の空調システムの電力供給システムを示す説明図である。
【図３】図１に示す２階建て建築物の空調システムの停電時の電力供給システムを示す説明図である。
【図４】図１に示す２階建て建築物の空調システムの夜間の電力供給システムを示す説明図である。
【図５】本考案の第２の実施の形態の２階建て建築物の空調システムを示す模式図である。
【考案を実施するための形態】
【００１５】
以下、図面に基づき、本考案の実施の形態について説明する。
図１〜図４は、本考案の第１の実施の形態の２階建て建築物の空調システムを示している。２階建て建築物の空調システムは、第１エアコン１と、第２エアコン２と、換気装置３と、太陽光発電装置４と、電源装置５と、蓄電池を備えた電気自動車６とを有している。
【００１６】
図１に示すように、２階建て建築物１０は、住宅から成り、１階床下空間１１と、１階空間１２と、２階空間１３と、２階小屋裏空間１４とを備えている。１階空間１２には、例えば、シュークローク１２ａとリビングルーム１２ｂとダイニングキッチン１２ｃが配置されている。２階空間１３には、例えば、子供部屋１３ａとトイレ１３ｂと寝室１３ｃが配置されている。１階床１５には、１階床下空間１１と１階空間１２とを連通させる複数の第１吸気口１６および第１送風口１７が設けられている。２階天井１８付近には、２階空間１３と２階小屋裏空間１４とを連通させる複数の第２吸気口１９および第２送風口２０が設けられている。
【００１７】
第１エアコン１は、業務用エアコンから成り、１階床下空間１１に設置されている。第１エアコン１は、第１吸気口１６の１つを通して１階空間１２から吸気し、１階床下空間１１に空調空気を送風し、第１送風口１７を通して１階空間１２に空調空気を送るようになっている。第１エアコン１には、花粉除去用のフィルターが取り付けられている。
【００１８】
第２エアコン２は、業務用エアコンから成り、２階小屋裏空間１４に設置されている。第２エアコン２は、第２吸気口１９の１つを通して２階空間１３から吸気し、２階小屋裏空間１４に空調空気を送風し、第２送風口２０を通して２階空間１３に空調空気を送るようになっている。第１エアコン１および第２エアコン２は、室外機（図示せず）を有し、ヒートポンプ方式により屋内と屋外との間で熱交換を行って、室内空気の冷房および暖房を行うことができる。
【００１９】
２階建て建築物１０は、１階空間１２の１階天井２１付近のシュークローク１２ａの上側に収納室２２を有している。換気装置３は、収納室２２に設置されている。収納室２２の屋外に面した壁面には、排気口３ａと換気口３ｂとが設けられている。換気装置３は、熱交換機能を有し、建物内空気を外気と熱交換して排気口３ａから建物外に排出し、熱交換した外気を換気口３ｂから建物内に送るようになっている。換気装置３には、花粉除去用のフィルターが取り付けられている。第１エアコン１と第２エアコン２と換気装置３とは、建物内の空気を２時間で外気と交換するよう能力を設定することが好ましい。
【００２０】
１階天井２１および２階床は、１階空間１２と２階空間１３とを連通させる通気口２３を有している。換気装置３は、熱交換した外気を、第１吸気口１６を通して１階床下空間１１に送り、また、通気口２３および第２吸気口１９を通して２階小屋裏空間１４に送るようになっている。
太陽光発電装置４は、２階建て建築物１０の屋根２４の上に設置されている。太陽光発電装置４は、電源装置５を有し、発電した電気を直流電流から交流電流に変換して、第１エアコン１および前記第２エアコン２に給電するよう接続されている。
【００２１】
電源装置５は、ＡＣ／ＤＣコンバータ（商標「ＥＶパワーステーション」）５ａを有し、蓄電池および太陽光発電装置４に接続されている。電源装置５は、第１エアコン１、第２エアコン２、換気装置３、蓄電池、太陽光発電装置４および商用交流電源２５を系統連系している。電源装置５は、太陽光発電装置４が発電する電力の余剰電力を蓄電池に充電し、夜間および停電時には蓄電池の電力を第１エアコン１および第２エアコン２に給電する構成を有している。
【００２２】
２階建て建築物の空調システムでは、１階床下空間１１に設置された第１エアコン１から第１送風口１７を通して１階空間１２に空調空気を送り、２階小屋裏空間１４に設置された第２エアコン２から第２送風口２０を通して２階空間１３に空調空気を送ることができるので、小屋裏空間１４に設置したエアコンのみから各部屋を空調する場合に比べて、エアコンから各部屋への距離を短くし、稼働コストを抑えて建物内全体を小さい温度差で空調することができる。温度差を小さくするために送風機を設ける必要がないので、空調効率が良好である。また、地面に近い１階空間１２と、一般に日当たりのよい２階空間１３とでは温度差を生じやすいが、第１エアコン１から１階空間１２に空調空気を送り、第２エアコン２から２階空間１３に空調空気を送るので、第１エアコン１の設定温度と第２エアコン２の設定温度を変えることがき、１階空間１２と２階空間１３との室温調整が容易である。
【００２３】
また、夏季には１階天井２１および２階床の通気口２３を通って２階空間１３から１階空間１２に冷気が下りてきて、冬季には通気口２３を通って１階空間１２から２階空間１３に暖気が上ってくるので、空気の自然対流によって屋内の温度が一定に保たれる。また、冬季には１階床下空間１１の暖気によって１階床１５が暖められ、１階空間１２の暖気によって２階床が暖められるので、特に暖かく過ごしやすい。
【００２４】
２階建て建築物の空調システムでは、換気装置３を有するので、空調された建物内空気の温度を熱交換により無駄にせずに排気し、新鮮な外気を建物内に取り入れることができる。また、熱交換した外気を１階床下空間１１および２階小屋裏空間１４に送るので、取り入れた外気による１階空間１２および２階空間１３の室温への影響を抑えることができる。
【００２５】
２階建て建築物の空調システムは、省電力性に優れているが、気密性能と断熱性能が高い建物に用いることで、さらに省電力性が良くなる。
２階建て建築物の空調システムは、太陽光発電装置４により第１エアコン１、第２エアコン２および換気装置３に給電できるので、空調の電気代を節約することができる。また、余剰電力を電気自動車６の蓄電池に充電しておくことにより、夜間および停電時の空調の電気代を節約することができる。
【００２６】
一例で、第１エアコン１および第２エアコン２に定格５ｋＷの業務用エアコンを用い、換気装置３に定格１ｋＷの装置を用い、太陽光発電装置４に５ｋＷの装置を用いた場合、晴天時には、図２に示すように、太陽光発電システムの電力で２階建て建築物の空調システムを稼働させるだけでなく、余剰の電力を電気自動車６の内部の蓄電池に充電したり、商用交流電源２５に送電して電力会社に売電したりすることができる。
【００２７】
昼間の停電時には、図３に示すように、２階建て建築物の空調システムに太陽光発電システムから電力を供給することができ、電力が不足する場合は、蓄電池から電力を供給することができる。
夜間停電時には、図４に示すように、２階建て建築物の空調システムに蓄電池から電力を供給することができる。
【００２８】
電気自動車６として、６２ｋＷｈの蓄電池を備えた市販の電気自動車６を用いた場合、１００％充電の状態では、２階建て建築物の空調システムを定格５ｋＷで運転したとしても、約１２時間運転することができる。従って、電気自動車６の蓄電池は、バックアップ電源として十分であり、夜間停電時であっても２階建て建築物の空調システムを停止させることなく、快適な環境を居住者に提供できる。
２階建て建築物の空調システムは、住宅用のほか、小規模店舗用としても好適である。
【００２９】
図５は、本考案の第２の実施の形態の２階建て建築物の空調システムを示している。第２の実施の形態の２階建て建築物の空調システムにおいて、第１の実施の形態の２階建て建築物の空調システムと同一の部材には同一の符号を付し、重複した説明を省略する。
第２の実施の形態の２階建て建築物の空調システムは、第１ダクト３１と第２ダクト３２とを有している。第１ダクト３１は、第１吸気口１６を介して換気口３ｂと１階床下空間１１とを接続する。第２ダクト３２は、通気口２３および第２吸気口１９を介して換気口３ｂと２階小屋裏空間１４とを接続する。第２の実施の形態の２階建て建築物の空調システムでは、熱交換した外気を、直接、１階空間１２および２階空間１３に送らずに、第１ダクト３１および第２ダクト３２を介して１階床下空間１１および２階小屋裏空間１４に送ることができるので、取り入れた外気による１階空間１２および２階空間１３の室温への影響を抑えることができる。
【符号の説明】
【００３０】
１  第１エアコン
２  第２エアコン
３  換気装置
４  太陽光発電装置
５  電源装置
６  蓄電池を備えた電気自動車
１０  ２階建て建築物
１１  １階床下空間
１２  １階空間
１３  ２階空間
１４  ２階小屋裏空間
１５  １階床
１６  第１吸気口
１７  第１送風口
１８  ２階天井
１９  第２吸気口
２０  第２送風口
２１  １階天井
２２  収納室
２３  通気口
２４  屋根
２５  商用交流電源
【図１】
0003226606.tif 000003
【図２】
0003226606.tif 000004
【図３】
0003226606.tif 000005
【図４】
0003226606.tif 000006
【図５】
0003226606.tif 000007